(57)【要約】      （修正有）【課題】商品を取り出す際に台紙やブリスターを剥がしたり、切り取ったりする必要がなく、容易に商品を取り出すことができると共に、再度商品を収納することができ、再利用性に優れたブリスターパックを提供する。【解決手段】台紙部１１と、台紙部を被覆し、薄型直方体形状の商品を台紙部との間に収納固定しうる合成樹脂製のカバー部１３とを有するブリスターパック１０において、台紙部は縦長長方形状に形成され、カバー部は、台紙部の周縁部に固定される周縁固定部１５と、長さ方向における一端部側半部１６に形成され、商品を取り出しうる開口部１７と、長さ方向他端部側半部に設けられた商品保持部１９とを有している。【選択図】図１
0003196015.tif 000002
【実用新案登録請求の範囲】
【請求項１】
台紙部と、前記台紙部を被覆し、薄型直方体形状の商品を前記台紙部との間に収納固定しうる合成樹脂製のカバー部とを有するブリスターパックにおいて、前記台紙部は縦長長方形状に形成され、前記カバー部は、前記台紙部の周縁部に固定される周縁固定部と、長さ方向における一端部側半部に形成され、前記商品を取り出しうる開口部と、長さ方向他端部側半部に設けられた商品保持部とを有することを特徴とするブリスターパック。
【請求項２】
前記商品保持部は、前記台紙部の幅方向全域に亘って形成された長方形状の保持部本体と、前記保持部本体の端部から開口部内方へ突出形成された半円部とにより構成されていることを特徴とする請求項１記載のブリスターパック。
【請求項３】
前記台紙部の幅方向両端部を被覆する一対の周縁固定部には、前記開口部の幅方向内方へ突出形成された商品支持部が設けられていることを特徴とする請求項１記載のブリスターパック。
【請求項４】
前記台紙部の長さ方向における反収納部側端部を被覆する周縁固定部には、周縁固定部内方へ凹設され、前記商品の取り出し時に指を入れて商品取り出しを補助しうる凹部が設けられていることを特徴とする請求項１記載のブリスターパック。
【請求項５】
前記商品支持部及び凹部は半円状に形成されていることを特徴とする請求項３又は４のいずれか１項に記載のブリスターパック。
【考案の詳細な説明】
【技術分野】
【０００１】
本考案は、商品の包装体に係り、特に商品を台紙及び透明な合成樹脂製カバーにより被覆するブリスターパックに関するものである。
【背景技術】
【０００２】
従来より、商品を台紙と、透明な合成樹脂製カバー、いわゆるブリスターとにより被覆するブリスターパックは、消費者が商品を購入する際に、台紙に印刷された商品の説明や被包装物である商品を視認することができることから、様々な分野で採用されている。特に、台紙とブリスターとを接着により固定したブリスターパックにあっては、商品を容易かつ確実に固定することができるため、ブリスターパックの主流となっている。
【０００３】
しかしながら、従来のブリスターパックにおいて被包装物を取り出す際には、ブリスターを台紙から剥がすか、もしくはブリスター又は台紙を破る必要があり、取り出し作業が非常に面倒であった。また、このような取り出し作業を行った場合は、商品を再度収納することができないという不具合があった。
【０００４】
本件実用新案登録出願人は、このような観点から先行技術調査を行い、関連する３件の特許文献を発見した（特許文献１〜３）。特許文献１及び２には、ブリスターの一部を切れ目に沿って切り取ることで開口部が形成されるブリスターパックが開示されており、ブリスターを切り取ることで商品を自由に出し入れできるという利点がある。しかしながら、ブリスターを丁寧に切り取る作業が必要であるという不具合が生じていた。また、ブリスターを切り取った結果、再度収納した商品が保持されないため、商品を確実に収納することができないという不具合も生じていた。
【０００５】
また、特許文献３には、ブリスターの一部が切り取られ、商品を取り出しうる商品取出部を形成すると共に、切り取られない部分がヒンジ部を形成するブリスターパックが開示されている。特許文献３にあっては、廃棄するしかなかったブリスターパックをそのまま容器として利用しうるという利点がある。しかしながら、商品を出し入れする際に、商品取出部を開閉する必要があるという不具合が生じていた。また、商品取出部を複数回開閉することによってヒンジ部が疲労して折り曲げた痕が生じ、さらにはヒンジ部に亀裂が生じて使用できなくなるという不具合も生じていた。
【特許文献１】実公昭３９−２０３５９号公報
【特許文献２】実開昭５４−１０６９８０号公報
【特許文献３】実開昭４７−２０６８５号公報
【考案の開示】
【考案が解決しようとする課題】
【０００６】
本考案は、以上のような従来からの不具合を解決するためのものであって、その課題は、商品を取り出す際に台紙やブリスターを剥がしたり、切り取ったりする必要がなく、容易に商品を取り出すことができると共に、再度商品を収納することができ、再利用性に優れたブリスターパックを提供することにある。
【課題を解決するための手段】
【０００７】
上記課題を解決するために、請求項１に記載の考案にあっては、台紙部と、前記台紙部を被覆し、薄型直方体形状の商品を前記台紙部との間に収納固定しうる合成樹脂製のカバー部とを有するブリスターパックにおいて、前記台紙部は縦長長方形状に形成され、前記カバー部は、前記台紙部の周縁部に固定される周縁固定部と、長さ方向における一端部側半部に形成され、前記商品を取り出しうる開口部と、長さ方向他端部側半部に設けられた商品保持部とを有することを特徴とする。
【０００８】
従って、前記商品が前記カバー部と前記台紙部との間に収納固定されている場合には、前記商品保持部が前記商品を保持しうる一方で、前記カバー部が前記台紙部に固定された状態において、前記開口部は前記商品を取り出しうる大きさに開口している。
【０００９】
請求項２に記載の考案にあっては、前記商品保持部は、前記台紙部の幅方向全域に亘って形成された長方形状の保持部本体と、前記保持部本体の端部から開口部内方へ突出形成された半円部とにより構成されていることを特徴とする。
【００１０】
従って、前記商品が前記カバー部と前記台紙部との間に収納固定されている場合には、前記保持部本体が前記商品の長さ方向一端部側半部を幅方向全域に亘って保持しうると共に、前記半円部が前記商品の長さ方向他端部側半部を保持しうる。また、前記開口部を通じて前記商品を出し入れする場合には、前記半円部が前記商品に沿って屈曲変形する。
【００１１】
請求項３に記載の考案にあっては、前記台紙部の幅方向両端部を被覆する一対の周縁固定部には、前記開口部の幅方向内方へ突出形成された商品支持部が設けられていることを特徴とする。
【００１２】
従って、前記商品が前記カバー部と前記台紙部との間に収納固定されている場合には、前記商品支持部が前記商品の幅方向両端部を保持する。
【００１３】
請求項４に記載の考案にあっては、前記台紙部の長さ方向における反収納部側端部を被覆する周縁固定部には、周縁固定部内方へ凹設され、前記商品の取り出し時に指を入れて商品取り出しを補助しうる凹部が設けられていることを特徴とする。
【００１４】
従って、前記商品が前記カバー部と前記台紙部との間に収納固定されている場合には、前記凹部が前記商品の長さ方向反収納部側端部に開口する。
【００１５】
請求項５に記載の考案にあっては、前記商品支持部及び凹部は半円状に形成されていることを特徴とする。
【考案の効果】
【００１６】
請求項１に記載のブリスターパックにあっては、前記商品が前記カバー部と前記台紙部との間に収納固定されている場合には、前記商品保持部が前記商品を保持しうる一方で、前記カバー部が前記台紙部に固定された状態において、前記開口部は前記商品を取り出しうる大きさに開口しているので、商品を取り出す際に前記台紙部や前記カバー部を剥がしたり、切り取ったりする必要がなく、容易に商品を取り出すことができると共に、再度商品を収納することができ、再利用性に優れたブリスターパックを提供することができる。
【００１７】
請求項２に記載のブリスターパックにあっては、前記商品が前記カバー部と前記台紙部との間に収納固定されている場合には、前記保持部本体が前記商品の長さ方向一端部側半部を幅方向全域に亘って保持しうると共に、前記半円部が前記商品の長さ方向他端部半部を保持するので、前記商品を確実に収納固定することができる。
また、前記開口部を通じて前記商品を出し入れする場合には、前記半円部が前記商品に沿って屈曲変形するので、前記開口部が前記保持部本体の端部まで広がることとなり、前記商品を容易に取り出すことができる。
【００１８】
請求項３に記載のブリスターパックにあっては、前記商品が前記カバー部と前記台紙部との間に収納固定されている場合には、前記商品支持部が前記商品の幅方向両端部を保持しうるので、前記商品を確実に収納固定することができる。
【００１９】
請求項４に記載のブリスターパックにあっては、前記商品が前記カバー部と前記台紙部との間に収納固定されている場合には、前記凹部が前記商品の長さ方向反収納部側端部に開口するので、前記凹部から指を入れ前記商品の取り出しを補助することができ、より容易に商品を取り出すことが可能となる。
【００２０】
請求項５に記載のブリスターパックにあっては、前記商品支持部及び凹部は半円状に形成されているので、前記商品支持部及び凹部は前記商品の出し入れによって裂けるという事態を防止することができる。また、尖鋭な部分がないので、取り出し時に商品が傷つくという事態を防止すると共に、使用者が怪我をするという事態を防止することができる。
【図面の簡単な説明】
【００２１】
【図１】本考案に係るブリスターパックの一実施の形態を示す斜視図である。
【図２】本考案に係るブリスターパックの一実施の形態において、商品を収納した状態を示す斜視図である。
【図３】本考案に係るブリスターパックの一実施の形態において、商品を開口部から引き出す途中の状態を示す斜視図である。
【考案を実施するための最良の形態】
【００２２】
以下、添付図面に示す実施の形態に基づき、本考案を詳細に説明する。
図１及び図２に示すように、本考案の一実施の形態に係るブリスターパック１０は、台紙部１１と、台紙部１１を被覆し、薄型直方体形状の商品１２を台紙部１１との間に収納固定しうる合成樹脂製のカバー部１３とを有する。
また、台紙部１１は縦長長方形状に形成され、カバー部１３は、台紙部１１の周縁部１４に固定される周縁固定部１５と、長さ方向における一端部側半部１６に形成され、商品１２を取り出しうる開口部１７と、長さ方向他端部側半部１８に設けられた商品保持部１９とを有している。
【００２３】
また、図１及び図２に示すように、商品保持部１９は、台紙部１１の幅方向全域に亘って形成された長方形状の保持部本体２０と、保持部本体２０の端部２１から開口部１７内方へ突出形成された半円部２２とにより構成されている。
また、台紙部１１の幅方向両端部２３を被覆する一対の周縁固定部１５には、夫々、開口部１７の幅方向内方へ突出形成された商品支持部２４が設けられている。
【００２４】
また、台紙部１１の長さ方向における反収納部側端部２５を被覆する周縁固定部１５には、周縁固定部１５内方へ凹設され、商品１２の取り出し時に指を入れて商品取り出しを補助しうる凹部２６が設けられている。
また、本考案の実施の形態において、商品支持部２４及び凹部２６は半円状に形成されている。
【００２５】
本実施の形態に係るブリスターパック１０の構成について、添付図面を用いてより詳細に説明する。
図１及び図２に示すように、本実施の形態に係るブリスターパック１０は、ＤＶＤが付属する雑誌のＤＶＤ収納部として形成されている。台紙部１１は表表紙と一体に形成され、台紙部１１に連設される背表紙部２７と、さらに背表紙部２７に連設され、冊子（図示せず）が取り付けられる裏表紙部２８とにより構成されている。本実施の形態において、商品１２は薄型直方体形状のＤＶＤケースである。
【００２６】
図１及び図２に示すように、本実施の形態に係るカバー部１３の周縁固定部１５は、開口部１７内方側へ突出した連続する半円形状に形成され、台紙部１１に接着される固定部本体２９と、固定部本体２９の開口部側端部３０に沿って商品１２の厚さと同一の厚さ寸法に形成される周縁側面部３１と、周縁側面部３１の反固定部側端部３２に配設され、開口部１７及び商品保持部１９と一体に形成されるカバー部周縁部３３とにより構成されている。
【００２７】
また、図１及び図２に示すように、カバー部周縁部３３の長さ方向収納部側端部３４及び長さ方向反収納部側端部３５には、全体略直方体形状に凹設され、商品１２がカバー部１３と台紙部１１との間に収納固定されている場合に商品１２を長さ方向に固定しうる商品固定部３６が設けられている。
また、本実施の形態において、周縁固定部１５は、台紙部１１の周縁部１４にホットメルト接着剤により固定されている。
【００２８】
本実施の形態に係るブリスターパック１０の作用について、添付図面を用いて説明する。
図２に示すように、本実施の形態に係るブリスターパック１０にあっては、カバー部１３が台紙部１１に固定され、商品１２がカバー部１３と台紙部１１との間に収納固定されている。この場合において、商品保持部１９が商品１２の長さ方向における約半分の部位を保持していることから、商品１２はＤＶＤ収納部内に確実に収納されている。一方、開口部１７は商品１２を取り出しうる大きさに開口しているので、商品１２を取り出す際に台紙部１１やカバー部１３を剥がしたり、切り取ったりする必要がなく、容易に商品１２を取り出すことができると共に、再度商品１２を収納することができ、再利用性に優れたブリスターパックを提供することができる。
【００２９】
また、図２に示すように、商品１２がカバー部１３と台紙部１１との間に収納固定されている場合には、保持部本体２０が商品１２の長さ方向一端部側半部を幅方向全域に亘って保持しうると共に、半円部２２が商品１２の長さ方向他端部半部を保持するので、商品１２を確実に収納固定することができる。
また、図３に示すように、開口部１７を介して商品１２を出し入れする場合には、半円部２２が商品１２に沿って屈曲変形するので、開口部１７が保持部本体１９の端部２１まで広がることとなり、商品１２を容易に取り出すことができる。
【００３０】
また、図２に示すように、本実施の形態に係るブリスターパック１０にあっては、商品１２がカバー部１３と台紙部１１との間に収納固定されている場合には、商品支持部２４、２４が商品１２の幅方向両端部を保持しうるので、商品１２が開口部１７から飛び出すという事態を防止することができる。
また、カバー部周縁部３３の長さ方向収納部側端部３４及び長さ方向反収納部側端部３５には、商品固定部３６が設けられているので、商品１２がカバー部１３と台紙部１１との間に収納固定されている場合には、商品１２を長さ方向に固定することができ、商品１２が長さ方向に動いてしまうという事態を防止することができる。
【００３１】
また、本実施の形態に係るカバー部１３は、周縁固定部１５に設けられた周縁側面部３１が開口部１７内方側へ突出した連続する半円弧形状の開口部側端部３０に沿って形成されているので、商品１２がカバー部１３と台紙部１１との間に収納固定されている場合には、商品１２の幅方向側面部３７が周縁側面部３１の開口部側に最も突出した頂部３８に支持されるので、商品が幅方向に動いてしまうという事態を防止することができる。
また、所定の厚さ寸法を有し、連続する半円弧状の開口部側端部３０を有していることから、開口部側端部３０はブリスターパック１０のリブとして機能し、ブリスターパック１０全体の剛性を確保することができる。
【００３２】
また、図２に示すように、本実施の形態に係るブリスターパック１０にあっては、商品１２がカバー部１３と台紙部１１との間に収納固定されている場合には、凹部２６が商品１２の長さ方向反収納部側端部３９側に開口するので、凹部２６から指を入れ商品１２の取り出しを補助することができ、より容易に商品１２を取り出すことが可能となる。
【００３３】
また、図１及び図２に示すように、本実施の形態において、商品支持部２４、２４及び凹部２６は半円状に形成されているので、商品支持部２４及び凹部２６は商品１２の出し入れによって裂けるという事態を防止することができる。また、尖鋭な部分がないので、取り出し時に商品１２が傷つくという事態を防止すると共に、使用者が怪我をするという事態を防止することができる。
【００３４】
また、図１及び図２に示すように、本実施の形態に係るカバー部１３は、周縁固定部１５に設けられた周縁側面部３１が開口部１７内方側へ突出した連続する半円弧形状の開口部側端部３０に沿って形成されているので、周縁側面部３１及びカバー部周縁部３３に加えられた衝撃を分散することができ、カバー部１３の破損を防止することができる。また、商品１２がカバー部１３と台紙部１１との間に収納固定されている場合には、周縁側面部３１に加えられた衝撃によって、商品１２が破損するという事態を防止することができる。
【００３５】
また、本実施の形態に係るブリスターパック１０は、製造時にあっては、従来の製造方法と同様に、カバー部１３に商品１２をはめ込み、台紙部１１を接着する。ただし、商品１２をはめ込まずにカバー部１３に台紙部１１を接着し、接着後に商品１２を開口部１７からはめ込んで製造することもできる。また、商品１２に不具合があった場合には、別の商品と交換することもできる。
【００３６】
また、図２に示すように、本実施の形態に係るブリスターパック１０は、ＤＶＤが付属する雑誌のＤＶＤ収納部として形成され、台紙部１１にＤＶＤケースである商品１２が、裏表紙部２８に冊子（図示せず）が夫々取り付けられている。
従来、ＤＶＤケースである商品１２を取り出すために、カバー部１３を台紙部１１から剥がしたり、切り取ったりする必要があり、結果としてＤＶＤケース及び冊子を夫々別に保管する必要があったが、本実施の形態に係るブリスターパック１０にあっては、ＤＶＤケースである商品１２を取り出す際に、カバー部１３を剥がしたり、切り取ったりする必要がなく、再度収納することができ、冊子とＤＶＤを販売時と同じ状態で一緒に保管することができる。
【００３７】
本実施の形態に係るカバー部１３は、開口部１７が長さ方向における一端部側半部１６に形成され、商品保持部１９が長さ方向他端部側半部１８に形成されている場合を例に説明したが、前記構成に限定されない。
また、商品保持部１９は、台紙部１１の幅方向全域に亘って形成された長方形状の保持部本体２０と、保持部本体２０の端部２１から開口部１７内方へ突出形成された半円部２２とにより構成されている場合を例に説明したが、前記構成に限定されない。
【００３８】
また、台紙部１１の幅方向両端部２３を被覆する一対の周縁固定部１５には、開口部１７の幅方向内方へ突出形成された商品支持部２４が設けられている場合を例に説明したが、前記構成に限定されない。
また、台紙部１１の長さ方向における反収納部側端部２５を被覆する周縁固定部１５には、周縁固定部１５内方へ凹設され、商品１２の取り出し時に指を入れて商品取り出しを補助しうる凹部２６が設けられている場合を例に説明したが、前記構成に限定されず、周縁固定部に商品の取り出し時に指を入れて商品取り出しを補助しうる凹部が形成されていればよい。
また、本考案の実施の形態において、商品支持部２４及び凹部２６は半円状に形成されている場合を例に説明したが、前記構成に限定されない。
【産業上の利用可能性】
【００３９】
本考案は、商品を台紙部とカバー部とにより収納固定するブリスターパックに広く適用可能であり、産業上利用可能性を有している。
【符号の説明】
【００４０】
１０：ブリスターパック
１１：台紙部
１２：商品
１３：カバー部
１４：周縁部
１５：周縁固定部
１６：一端部側半部
１７：開口部
１８：長さ方向他端部側半部
１９：商品保持部
２０：保持部本体
２１：端部
２２：半円部
２３：幅方向両端部
２４：商品支持部
２５：台紙部の反収納部側端部
２６：凹部
２７：背表紙部
２８：裏表紙部
２９：固定部本体
３０：開口部側端部
３１：周縁側面部
３２：反固定部側端部
３３：カバー部周縁部
３４：収納部側端部
３５：カバー部周縁部の反収納部側端部
３６：商品固定部
３７：幅方向側面部
３８：頂部
３９：商品の反収納部側端部
【図１】
0003196015.tif 000003
【図２】
0003196015.tif 000004
【図３】
0003196015.tif 000005
【手続補正書】
【提出日】平成26年12月3日(2014.12.3)
【手続補正１】
【補正対象書類名】実用新案登録請求の範囲
【補正対象項目名】全文
【補正方法】変更
【補正の内容】
【実用新案登録請求の範囲】
【請求項１】
台紙部と、前記台紙部を被覆し、薄型直方体形状の商品を前記台紙部との間に収納固定しうる合成樹脂製のカバー部とを有するブリスターパックにおいて、前記台紙部は縦長長方形状に形成され、前記カバー部は、前記台紙部の周縁部に固定される周縁固定部と、長さ方向における一端部側半部に形成され、前記商品を取り出しうる開口部と、長さ方向他端部側半部に設けられた商品保持部とを有することを特徴とするブリスターパック。
【請求項２】
前記商品保持部は、前記台紙部の幅方向全域に亘って形成された長方形状の保持部本体と、前記保持部本体の端部から開口部内方へ突出形成された半円部とにより構成されていることを特徴とする請求項１記載のブリスターパック。
【請求項３】
前記台紙部の幅方向両端部を被覆する一対の周縁固定部には、前記開口部の幅方向内方へ突出形成された商品支持部が設けられていることを特徴とする請求項１記載のブリスターパック。
【請求項４】
前記商品支持部は半円状に形成されていることを特徴とする請求項３に記載のブリスターパック。
【請求項５】
前記台紙部の長さ方向における反収納部側端部を被覆する周縁固定部には、周縁固定部内方へ凹設され、前記商品の取り出し時に指を入れて商品取り出しを補助しうる凹部が設けられていることを特徴とする請求項１記載のブリスターパック。
【請求項６】
前記凹部は半円状に形成されていることを特徴とする請求項５に記載のブリスターパック。
【手続補正２】
【補正対象書類名】明細書
【補正対象項目名】全文
【補正方法】変更
【補正の内容】
【考案の詳細な説明】
【技術分野】
【０００１】
本考案は、商品の包装体に係り、特に商品を台紙及び透明な合成樹脂製カバーにより被覆するブリスターパックに関するものである。
【背景技術】
【０００２】
従来より、商品を台紙と、透明な合成樹脂製カバー、いわゆるブリスターとにより被覆するブリスターパックは、消費者が商品を購入する際に、台紙に印刷された商品の説明や被包装物である商品を視認することができることから、様々な分野で採用されている。特に、台紙とブリスターとを接着により固定したブリスターパックにあっては、商品を容易かつ確実に固定することができるため、ブリスターパックの主流となっている。
【０００３】
しかしながら、従来のブリスターパックにおいて被包装物を取り出す際には、ブリスターを台紙から剥がすか、もしくはブリスター又は台紙を破る必要があり、取り出し作業が非常に面倒であった。また、このような取り出し作業を行った場合は、商品を再度収納することができないという不具合があった。
【０００４】
本件実用新案登録出願人は、このような観点から先行技術調査を行い、関連する３件の特許文献を発見した（特許文献１〜３）。特許文献１及び２には、ブリスターの一部を切れ目に沿って切り取ることで開口部が形成されるブリスターパックが開示されており、ブリスターを切り取ることで商品を自由に出し入れできるという利点がある。しかしながら、ブリスターを丁寧に切り取る作業が必要であるという不具合が生じていた。また、ブリスターを切り取った結果、再度収納した商品が保持されないため、商品を確実に収納することができないという不具合も生じていた。
【０００５】
また、特許文献３には、ブリスターの一部が切り取られ、商品を取り出しうる商品取出部を形成すると共に、切り取られない部分がヒンジ部を形成するブリスターパックが開示されている。特許文献３にあっては、廃棄するしかなかったブリスターパックをそのまま容器として利用しうるという利点がある。しかしながら、商品を出し入れする際に、商品取出部を開閉する必要があるという不具合が生じていた。また、商品取出部を複数回開閉することによってヒンジ部が疲労して折り曲げた痕が生じ、さらにはヒンジ部に亀裂が生じて使用できなくなるという不具合も生じていた。
【特許文献１】実公昭３９−２０３５９号公報
【特許文献２】実開昭５４−１０６９８０号公報
【特許文献３】実開昭４７−２０６８５号公報
【考案の開示】
【考案が解決しようとする課題】
【０００６】
本考案は、以上のような従来からの不具合を解決するためのものであって、その課題は、商品を取り出す際に台紙やブリスターを剥がしたり、切り取ったりする必要がなく、容易に商品を取り出すことができると共に、再度商品を収納することができ、再利用性に優れたブリスターパックを提供することにある。
【課題を解決するための手段】
【０００７】
上記課題を解決するために、請求項１に記載の考案にあっては、台紙部と、前記台紙部を被覆し、薄型直方体形状の商品を前記台紙部との間に収納固定しうる合成樹脂製のカバー部とを有するブリスターパックにおいて、前記台紙部は縦長長方形状に形成され、前記カバー部は、前記台紙部の周縁部に固定される周縁固定部と、長さ方向における一端部側半部に形成され、前記商品を取り出しうる開口部と、長さ方向他端部側半部に設けられた商品保持部とを有することを特徴とする。
【０００８】
従って、前記商品が前記カバー部と前記台紙部との間に収納固定されている場合には、前記商品保持部が前記商品を保持しうる一方で、前記カバー部が前記台紙部に固定された状態において、前記開口部は前記商品を取り出しうる大きさに開口している。
【０００９】
請求項２に記載の考案にあっては、前記商品保持部は、前記台紙部の幅方向全域に亘って形成された長方形状の保持部本体と、前記保持部本体の端部から開口部内方へ突出形成された半円部とにより構成されていることを特徴とする。
【００１０】
従って、前記商品が前記カバー部と前記台紙部との間に収納固定されている場合には、前記保持部本体が前記商品の長さ方向一端部側半部を幅方向全域に亘って保持しうると共に、前記半円部が前記商品の長さ方向他端部側半部を保持しうる。また、前記開口部を通じて前記商品を出し入れする場合には、前記半円部が前記商品に沿って屈曲変形する。
【００１１】
請求項３に記載の考案にあっては、前記台紙部の幅方向両端部を被覆する一対の周縁固定部には、前記開口部の幅方向内方へ突出形成された商品支持部が設けられていることを特徴とする。
【００１２】
従って、前記商品が前記カバー部と前記台紙部との間に収納固定されている場合には、前記商品支持部が前記商品の幅方向両端部を保持する。
【００１３】
請求項４に記載の考案にあっては、前記商品支持部は半円状に形成されていることを特徴とする。
【００１４】
請求項５に記載の考案にあっては、前記台紙部の長さ方向における反収納部側端部を被覆する周縁固定部には、周縁固定部内方へ凹設され、前記商品の取り出し時に指を入れて商品取り出しを補助しうる凹部が設けられていることを特徴とする。
【００１５】
従って、前記商品が前記カバー部と前記台紙部との間に収納固定されている場合には、前記凹部が前記商品の長さ方向反収納部側端部に開口する。
【００１６】
請求項６に記載の考案にあっては、前記凹部は半円状に形成されていることを特徴とする。
【考案の効果】
【００１７】
請求項１に記載のブリスターパックにあっては、前記商品が前記カバー部と前記台紙部との間に収納固定されている場合には、前記商品保持部が前記商品を保持しうる一方で、前記カバー部が前記台紙部に固定された状態において、前記開口部は前記商品を取り出しうる大きさに開口しているので、商品を取り出す際に前記台紙部や前記カバー部を剥がしたり、切り取ったりする必要がなく、容易に商品を取り出すことができると共に、再度商品を収納することができ、再利用性に優れたブリスターパックを提供することができる。
【００１８】
請求項２に記載のブリスターパックにあっては、前記商品が前記カバー部と前記台紙部との間に収納固定されている場合には、前記保持部本体が前記商品の長さ方向一端部側半部を幅方向全域に亘って保持しうると共に、前記半円部が前記商品の長さ方向他端部半部を保持するので、前記商品を確実に収納固定することができる。
また、前記開口部を通じて前記商品を出し入れする場合には、前記半円部が前記商品に沿って屈曲変形するので、前記開口部が前記保持部本体の端部まで広がることとなり、前記商品を容易に取り出すことができる。
【００１９】
請求項３に記載のブリスターパックにあっては、前記商品が前記カバー部と前記台紙部との間に収納固定されている場合には、前記商品支持部が前記商品の幅方向両端部を保持しうるので、前記商品を確実に収納固定することができる。
【００２０】
請求項４に記載のブリスターパックにあっては、前記商品支持部は半円状に形成されているので、前記商品支持部は前記商品の出し入れによって裂けるという事態を防止することができる。また、尖鋭な部分がないので、取り出し時に商品が傷つくという事態を防止すると共に、使用者が怪我をするという事態を防止することができる。
【００２１】
請求項５に記載のブリスターパックにあっては、前記商品が前記カバー部と前記台紙部との間に収納固定されている場合には、前記凹部が前記商品の長さ方向反収納部側端部に開口するので、前記凹部から指を入れ前記商品の取り出しを補助することができ、より容易に商品を取り出すことが可能となる。
【００２２】
請求項６に記載のブリスターパックにあっては、前記凹部は半円状に形成されているので、前記凹部は前記商品の出し入れによって裂けるという事態を防止することができる。また、尖鋭な部分がないので、取り出し時に商品が傷つくという事態を防止すると共に、使用者が怪我をするという事態を防止することができる。
【図面の簡単な説明】
【００２３】
【図１】本考案に係るブリスターパックの一実施の形態を示す斜視図である。
【図２】本考案に係るブリスターパックの一実施の形態において、商品を収納した状態を示す斜視図である。
【図３】本考案に係るブリスターパックの一実施の形態において、商品を開口部から引き出す途中の状態を示す斜視図である。
【考案を実施するための最良の形態】
【００２４】
以下、添付図面に示す実施の形態に基づき、本考案を詳細に説明する。
図１及び図２に示すように、本考案の一実施の形態に係るブリスターパック１０は、台紙部１１と、台紙部１１を被覆し、薄型直方体形状の商品１２を台紙部１１との間に収納固定しうる合成樹脂製のカバー部１３とを有する。
また、台紙部１１は縦長長方形状に形成され、カバー部１３は、台紙部１１の周縁部１４に固定される周縁固定部１５と、長さ方向における一端部側半部１６に形成され、商品１２を取り出しうる開口部１７と、長さ方向他端部側半部１８に設けられた商品保持部１９とを有している。
【００２５】
また、図１及び図２に示すように、商品保持部１９は、台紙部１１の幅方向全域に亘って形成された長方形状の保持部本体２０と、保持部本体２０の端部２１から開口部１７内方へ突出形成された半円部２２とにより構成されている。
また、台紙部１１の幅方向両端部２３を被覆する一対の周縁固定部１５には、夫々、開口部１７の幅方向内方へ突出形成された商品支持部２４が設けられている。
【００２６】
また、台紙部１１の長さ方向における反収納部側端部２５を被覆する周縁固定部１５には、周縁固定部１５内方へ凹設され、商品１２の取り出し時に指を入れて商品取り出しを補助しうる凹部２６が設けられている。
また、本考案の実施の形態において、商品支持部２４及び凹部２６は半円状に形成されている。
【００２７】
本実施の形態に係るブリスターパック１０の構成について、添付図面を用いてより詳細に説明する。
図１及び図２に示すように、本実施の形態に係るブリスターパック１０は、ＤＶＤが付属する雑誌のＤＶＤ収納部として形成されている。台紙部１１は表表紙と一体に形成され、台紙部１１に連設される背表紙部２７と、さらに背表紙部２７に連設され、冊子（図示せず）が取り付けられる裏表紙部２８とにより構成されている。本実施の形態において、商品１２は薄型直方体形状のＤＶＤケースである。
【００２８】
図１及び図２に示すように、本実施の形態に係るカバー部１３の周縁固定部１５は、開口部１７内方側へ突出した連続する半円形状に形成され、台紙部１１に接着される固定部本体２９と、固定部本体２９の開口部側端部３０に沿って商品１２の厚さと同一の厚さ寸法に形成される周縁側面部３１と、周縁側面部３１の反固定部側端部３２に配設され、開口部１７及び商品保持部１９と一体に形成されるカバー部周縁部３３とにより構成されている。
【００２９】
また、図１及び図２に示すように、カバー部周縁部３３の長さ方向収納部側端部３４及び長さ方向反収納部側端部３５には、全体略直方体形状に凹設され、商品１２がカバー部１３と台紙部１１との間に収納固定されている場合に商品１２を長さ方向に固定しうる商品固定部３６が設けられている。
また、本実施の形態において、周縁固定部１５は、台紙部１１の周縁部１４にホットメルト接着剤により固定されている。
【００３０】
本実施の形態に係るブリスターパック１０の作用について、添付図面を用いて説明する。
図２に示すように、本実施の形態に係るブリスターパック１０にあっては、カバー部１３が台紙部１１に固定され、商品１２がカバー部１３と台紙部１１との間に収納固定されている。この場合において、商品保持部１９が商品１２の長さ方向における約半分の部位を保持していることから、商品１２はＤＶＤ収納部内に確実に収納されている。一方、開口部１７は商品１２を取り出しうる大きさに開口しているので、商品１２を取り出す際に台紙部１１やカバー部１３を剥がしたり、切り取ったりする必要がなく、容易に商品１２を取り出すことができると共に、再度商品１２を収納することができ、再利用性に優れたブリスターパックを提供することができる。
【００３１】
また、図２に示すように、商品１２がカバー部１３と台紙部１１との間に収納固定されている場合には、保持部本体２０が商品１２の長さ方向一端部側半部を幅方向全域に亘って保持しうると共に、半円部２２が商品１２の長さ方向他端部半部を保持するので、商品１２を確実に収納固定することができる。
また、図３に示すように、開口部１７を介して商品１２を出し入れする場合には、半円部２２が商品１２に沿って屈曲変形するので、開口部１７が保持部本体１９の端部２１まで広がることとなり、商品１２を容易に取り出すことができる。
【００３２】
また、図２に示すように、本実施の形態に係るブリスターパック１０にあっては、商品１２がカバー部１３と台紙部１１との間に収納固定されている場合には、商品支持部２４、２４が商品１２の幅方向両端部を保持しうるので、商品１２が開口部１７から飛び出すという事態を防止することができる。
また、カバー部周縁部３３の長さ方向収納部側端部３４及び長さ方向反収納部側端部３５には、商品固定部３６が設けられているので、商品１２がカバー部１３と台紙部１１との間に収納固定されている場合には、商品１２を長さ方向に固定することができ、商品１２が長さ方向に動いてしまうという事態を防止することができる。
【００３３】
また、本実施の形態に係るカバー部１３は、周縁固定部１５に設けられた周縁側面部３１が開口部１７内方側へ突出した連続する半円弧形状の開口部側端部３０に沿って形成されているので、商品１２がカバー部１３と台紙部１１との間に収納固定されている場合には、商品１２の幅方向側面部３７が周縁側面部３１の開口部側に最も突出した頂部３８に支持されるので、商品が幅方向に動いてしまうという事態を防止することができる。
また、所定の厚さ寸法を有し、連続する半円弧状の開口部側端部３０を有していることから、開口部側端部３０はブリスターパック１０のリブとして機能し、ブリスターパック１０全体の剛性を確保することができる。
【００３４】
また、図２に示すように、本実施の形態に係るブリスターパック１０にあっては、商品１２がカバー部１３と台紙部１１との間に収納固定されている場合には、凹部２６が商品１２の長さ方向反収納部側端部３９側に開口するので、凹部２６から指を入れ商品１２の取り出しを補助することができ、より容易に商品１２を取り出すことが可能となる。
【００３５】
また、図１及び図２に示すように、本実施の形態において、商品支持部２４、２４及び凹部２６は半円状に形成されているので、商品支持部２４及び凹部２６は商品１２の出し入れによって裂けるという事態を防止することができる。また、尖鋭な部分がないので、取り出し時に商品１２が傷つくという事態を防止すると共に、使用者が怪我をするという事態を防止することができる。
【００３６】
また、図１及び図２に示すように、本実施の形態に係るカバー部１３は、周縁固定部１５に設けられた周縁側面部３１が開口部１７内方側へ突出した連続する半円弧形状の開口部側端部３０に沿って形成されているので、周縁側面部３１及びカバー部周縁部３３に加えられた衝撃を分散することができ、カバー部１３の破損を防止することができる。また、商品１２がカバー部１３と台紙部１１との間に収納固定されている場合には、周縁側面部３１に加えられた衝撃によって、商品１２が破損するという事態を防止することができる。
【００３７】
また、本実施の形態に係るブリスターパック１０は、製造時にあっては、従来の製造方法と同様に、カバー部１３に商品１２をはめ込み、台紙部１１を接着する。ただし、商品１２をはめ込まずにカバー部１３に台紙部１１を接着し、接着後に商品１２を開口部１７からはめ込んで製造することもできる。また、商品１２に不具合があった場合には、別の商品と交換することもできる。
【００３８】
また、図２に示すように、本実施の形態に係るブリスターパック１０は、ＤＶＤが付属する雑誌のＤＶＤ収納部として形成され、台紙部１１にＤＶＤケースである商品１２が、裏表紙部２８に冊子（図示せず）が夫々取り付けられている。
従来、ＤＶＤケースである商品１２を取り出すために、カバー部１３を台紙部１１から剥がしたり、切り取ったりする必要があり、結果としてＤＶＤケース及び冊子を夫々別に保管する必要があったが、本実施の形態に係るブリスターパック１０にあっては、ＤＶＤケースである商品１２を取り出す際に、カバー部１３を剥がしたり、切り取ったりする必要がなく、再度収納することができ、冊子とＤＶＤを販売時と同じ状態で一緒に保管することができる。
【００３９】
本実施の形態に係るカバー部１３は、開口部１７が長さ方向における一端部側半部１６に形成され、商品保持部１９が長さ方向他端部側半部１８に形成されている場合を例に説明したが、前記構成に限定されない。
また、商品保持部１９は、台紙部１１の幅方向全域に亘って形成された長方形状の保持部本体２０と、保持部本体２０の端部２１から開口部１７内方へ突出形成された半円部２２とにより構成されている場合を例に説明したが、前記構成に限定されない。
【００４０】
また、台紙部１１の幅方向両端部２３を被覆する一対の周縁固定部１５には、開口部１７の幅方向内方へ突出形成された商品支持部２４が設けられている場合を例に説明したが、前記構成に限定されない。
また、台紙部１１の長さ方向における反収納部側端部２５を被覆する周縁固定部１５には、周縁固定部１５内方へ凹設され、商品１２の取り出し時に指を入れて商品取り出しを補助しうる凹部２６が設けられている場合を例に説明したが、前記構成に限定されず、周縁固定部に商品の取り出し時に指を入れて商品取り出しを補助しうる凹部が形成されていればよい。
また、本考案の実施の形態において、商品支持部２４及び凹部２６は半円状に形成されている場合を例に説明したが、前記構成に限定されない。
【産業上の利用可能性】
【００４１】
本考案は、商品を台紙部とカバー部とにより収納固定するブリスターパックに広く適用可能であり、産業上利用可能性を有している。
【符号の説明】
【００４２】
１０：ブリスターパック
１１：台紙部
１２：商品
１３：カバー部
１４：周縁部
１５：周縁固定部
１６：一端部側半部
１７：開口部
１８：長さ方向他端部側半部
１９：商品保持部
２０：保持部本体
２１：端部
２２：半円部
２３：幅方向両端部
２４：商品支持部
２５：台紙部の反収納部側端部
２６：凹部
２７：背表紙部
２８：裏表紙部
２９：固定部本体
３０：開口部側端部
３１：周縁側面部
３２：反固定部側端部
３３：カバー部周縁部
３４：収納部側端部
３５：カバー部周縁部の反収納部側端部
３６：商品固定部
３７：幅方向側面部
３８：頂部
３９：商品の反収納部側端部